(57)【特許請求の範囲】
【請求項１】
電動要素により駆動される回転軸を鉛直方向に回転可能に支持する軸受と、この軸受の上部に固定され、圧縮要素が上面に搭載されると共に下部に前記電動要素が配設される水平枠体と、この水平枠体の下面に当接する当接部および前記軸受に固定され前記当接部に連設する支持部を有する補助枠体とを備えるレシプロ圧縮機のモータケースにおいて、前記水平枠体および前記補助枠体は金属板のプレス成形により形成されると共に、前記軸受、前記水平枠体および前記補助枠体の支持部とで空間が形成されることを特徴とするレシプロ圧縮機のモータケース。
【請求項２】
上記補助枠体の支持部は円錐台形状であることを特徴とする請求項１に記載のレシプロ圧縮機のモータケース。
【請求項３】
上記水平枠体および上記補助枠体の当接部に互いに直交する向きにエンボス加工を施したことを特徴とする請求項１または２に記載のレシプロ圧縮機のモータケース。
【請求項４】
上記空間を消音器として利用することを特徴とする請求項１、２または３に記載のレシプロ圧縮機のモータケース。
【発明の詳細な説明】
【０００１】
【発明の属する技術分野】
本発明は冷凍空調機器に使用されるレシプロ圧縮機のモータケースに関し、特にモータケースを構成する枠体に金属板のプレス成形品を用いたものに関する。
【０００２】
【従来の技術】
金属板をプレス成形した枠体にて構成されるレシプロ圧縮機のモータケースは、特開平２−９９７８４号公報に開示されている。枠体を金属プレス成形品で構成すれば、鋳物製のものに比べて安価に製造できる。金属プレス成形品を用いた従来のモータケースを図４（断面図）および図５（分解斜視図）に示して以下に説明する。
【０００３】
図において、１０は金属板をプレス成形した水平枠体であり、図示しない回転軸を鉛直方向に回転可能に支持する軸受１１の上端にをボルト１２にて固定している。水平枠体１０は密閉容器内に弾性体で支持される。水平枠体１０の下部には電動要素が配置され、上面には回転軸の回転によりピストンが往復駆動されるレシプロ型の圧縮要素が搭載される。水平枠体１０の強度を向上すると共に、圧縮要素のシリンダの取付部分の平坦度を良くするためにエンボス加工１３を施している。
【０００４】
このモータケースでは、水平枠体１０が金属板のプレス成形品であるため、必要な強度を確保するためには板厚を厚くする必要がある。このため、板厚の厚い金属板を使用してプレス成形することとなり、プレス設備が大型化するという問題がある。また、精度を確保するために加工工数が増加し、コストアップとなるという問題がある。
【０００５】
【発明が解決しようとする課題】
本発明は上記問題を解決するものであり、金属板のプレス成形品を用いて安価に充分な強度を確保したレシプロ圧縮機のモータケースを提供することを課題とするものである。
【０００６】
【課題を解決するための手段】
本発明は、電動要素により駆動される回転軸を鉛直方向に回転可能に支持する軸受と、この軸受の上部に固定され、圧縮要素が上面に搭載されると共に下部に電動要素が配設される水平枠体と、この水平枠体の下面に当接する当接部および軸受に固定され当接部に連設する支持部を有する補助枠体とを備えるレシプロ圧縮機のモータケースにおいて、水平枠体および補助枠体は金属板のプレス成形により形成されると共に、軸受、水平枠体および補助枠体の支持部とで空間が形成されることを特徴とする。
【０００７】
水平枠体を補助枠体にて支持するので、水平枠体および補助枠体は板圧の薄い金属板のプレス成形品としても、充分な強度を確保できる。
【０００８】
上記補助枠体の支持部は円錐台形状とすることができる。軸受、水平枠体および補助枠体の支持部とで断面三角形状の空間が形成される構造となる。これにより、充分な強度を持つモータケースが得られる。
【０００９】
また、水平枠体および補助枠体の当接部に互いに直交する向きにエンボス加工を施すことにより、両枠体の強度を向上できる。
【００１０】
さらに、軸受、水平枠体および補助枠体の支持部とで形成される空間を消音器として利用することにより、圧縮機の小型化を図ることができる。
【００１１】
【発明の実施の形態】
以下、本発明の実施の形態を図面に基づき説明する。
【００１２】
図１は本発明のレシプロ圧縮機のモータケースの断面図、図２はその斜視図である。
【００１３】
１は鍛造または鋳物製の軸受であり、図示しない電動要素によって回転駆動される回転軸を鉛直方向に回転可能に支持する。２は金属板をプレス成形してなる水平枠体であり、中央に軸受１の上端が挿入される取付穴２Ａが形成されている。水平枠体２の外縁部は下方に折り曲げられている。軸受１の上端部には枠体を固定するための段部１Ａが設けられている。水平枠体２は取付穴２Ａが軸受１の上端に圧入されて段部１Ａに係合して固定される。水平枠体２の上面には図示しない圧縮要素が搭載され、下部には図示しない電動要素が取り付けられる。電動要素による回転軸の回転運動がクランク部によって往復運動に変換されてピストンがシリンダ内を往復運動することによって、圧縮要素は冷媒をシリンダ内に吸入し、圧縮して、シリンダ外へ吐出する。
【００１４】
３は金属板をプレス成形してなる補助枠体であり、円錐台状形の支持部３Ａと、水平枠体２の下面に当接する当接部３Ｂとを有している。支持部３Ａの下端は軸受の外周に沿って開口しており、開口部が軸受１に圧入されて段部１Ａに係合して軸受１に固定される。補助枠体３の外縁部は、水平枠体２の内面に沿うように下方に折り曲げられ、水平枠体２の外縁部の折曲部分ではテーパ状に成形されている。これにより、外縁部も軸受付近と同様に断面が三角形状となり、圧縮要素のピストンおよびクランク部から受ける曲げ荷重に対して充分な強度を持たせることができる。
【００１５】
水平枠体２の下面と補助枠体３の当接部３Ｂとがスポット溶接、ろう付けまたはボルト締めされることにより、水平枠体２と補助枠体３とが固定される。ボルト締めの場合は、圧縮要素のシリンダを水平枠体２の上面にボルト穴４にボルトを締めて取り付ける際に同時に行うようにしてもよい。また、外縁部の当接部分も必要に応じてスポット溶接またはろう付けしてもよい。
【００１６】
このように、水平枠体２を下から支持するように補助枠体３を設けるので、水平枠体２の板厚は従来のプレス成形の枠体よりも薄くても、充分な所望の強度が得られる。
【００１７】
また、上記構成において、水平枠体２、補助枠体３の支持部３Ａおよび軸受１とで構成される空間５に圧縮機の吐出用の消音器を配置することができ、この空間がデッドスペースとならないようにしてスペースの有効利用が図れる。
【００１８】
また、この空間５は圧縮機の吐出用の消音器として直接使用することもできる。この場合、シリンダからの吐出冷媒が導かれる入口通路および消音器外へ導く出口通路を設けると共に気密性を保つために、水平枠体２と補助枠体３の当接部３Ｂとはろう付けする。
【００１９】
さらに、モータケースの精度（平坦度）および強度を向上させるためには、図３に示すようにエンボス加工６を施す。この場合に水平枠体２には上向きに、補助枠体３には下向きにエンボス加工６を施す。また、水平枠体２には周方向に沿って形成し、補助枠体３には径方向に沿って形成する。このようにエンボス加工６を施すことによって、より効果的に精度および強度を向上できる。
【００２０】
【発明の効果】
以上に説明したように、本発明によれば、金属板のプレス成形品にてモータケースを構成する場合に、水平枠体を補助枠体で支持する構造としたから充分な強度を確保できる。したがって、従来のものに比べて板厚の薄い金属板を使用できるので安価に製造することができる。
【００２１】
また、水平枠体および補助枠体に互いに直交する方向にエンボス加工を施すことによって、モータケースの強度を更に向上させ得る。
【００２２】
さらに、軸受、水平枠体および補助枠体とで形成される空間を圧縮機の消音器として使用することにより、スペースの有効利用が図れ、圧縮機全体を小型化することも可能となる。
【図面の簡単な説明】
【図１】本発明のモータケースの断面図である。
【図２】本発明のモータケースの斜視図である。
【図３】本発明のモータケースの分解斜視図である。
【図４】従来のモータケースの断面図である。
【図５】従来のモータケースの斜視図である。
【符号の説明】
１  軸受
２  水平枠体
３  補助枠体
３Ａ  支持部
３Ｂ  当接部
５  空間
【図１】
0003634482.tif 000002
【図２】
0003634482.tif 000003
【図３】
0003634482.tif 000004
【図４】
0003634482.tif 000005
【図５】
0003634482.tif 000006